(57)【要約】【課題】拡幅掘削翼の揺動速度を調節することにより、拡幅掘削翼の急激な拡径を抑制し、地盤への突き刺さりを防止して、地盤の過大な抵抗による拡幅掘削翼の破損や掘削ロッドの回転停止を回避することができる拡幅掘削装置を提供すること。【解決手段】掘削翼１を配設した掘削ロッド２に揺動軸３を介して拡幅掘削翼４を配設し、掘削ロッド２の回転方向を転換することにより拡幅掘削翼４を拡径するようにした拡幅掘削装置において、掘削ロッド２と拡幅掘削翼４の間に、拡幅掘削翼４の拡径動作に連動し、該拡幅掘削翼４に負荷を与えるダンパー機構５を設ける。【選択図】図１−１
2006052559.tif 000002
【特許請求の範囲】
【請求項１】
掘削翼を配設した掘削ロッドに揺動軸を介して拡幅掘削翼を配設し、掘削ロッドの回転方向を転換することにより拡幅掘削翼を拡径するようにした拡幅掘削装置において、掘削ロッドと拡幅掘削翼の間に、拡幅掘削翼の拡径動作に連動し、該拡幅掘削翼に負荷を与えるダンパー機構を設けたことを特徴とする拡幅掘削装置。
【請求項２】
前記ダンパー機構が、掘削ロッド側に回り止めをなして支持された支軸と、該支軸に回動可能に外嵌され、拡幅掘削翼が固定された外筒と、前記支軸に回り止めをなして嵌挿されるとともに、前記外筒と螺合して外筒の回動により軸方向に移動する移動体と、該移動体の移動により動作する流体圧ダンパーとを備えたことを特徴とする請求項１記載の拡幅掘削装置。
【請求項３】
前記ダンパー機構が、掘削ロッド側に回り止めをなして支持された支軸と、該支軸に回動可能に外嵌され、拡幅掘削翼が固定された外筒と、該外筒に回り止めをなして内挿されるとともに、前記支軸と螺合して外筒の回動により軸方向に移動する移動体と、該移動体の移動により動作する流体圧ダンパーとを備えたことを特徴とする請求項１記載の拡幅掘削装置。
【請求項４】
前記ダンパー機構が、一端が掘削ロッド側に回動可能に支持され、拡幅掘削翼が固定された支軸と、掘削ロッド側に回り止めをなして支持されるとともに、該支軸の他端に螺合して支軸の回動により軸方向に相対移動する外筒と、該外筒と支軸の相対移動により動作する流体圧ダンパーとを備え、支軸と外筒の少なくとも一方を掘削ロッド側に軸方向に摺動可能に支持せしめたことを特徴とする請求項１記載の拡幅掘削装置。
【発明の詳細な説明】
【技術分野】
【０００１】
本発明は、拡幅掘削翼を備えた拡幅掘削装置に関し、特に、拡幅掘削翼の揺動速度を調節することにより、拡幅掘削翼の急激な拡径を抑制し、地盤への突き刺さりを防止して、地盤の過大な抵抗による拡幅掘削翼の破損や掘削ロッドの回転停止を回避することができる拡幅掘削装置に関するものである。
【背景技術】
【０００２】
地盤に杭を造成する場合や既製の中空杭を建込む場合、杭孔に杭径よりも大径の拡幅部を掘削し、モルタル等により造成して杭の基礎とする工法が行われる。
【０００３】
拡幅部の造成手段としては、掘削翼を配設した掘削ロッドに揺動軸を介して拡幅掘削翼を配設し、掘削ロッドの回転方向を転換することにより、掘削土の抵抗により拡幅掘削翼を揺動させて拡径するようにした拡幅掘削装置が提案されている（例えば、特許文献１参照）。
【０００４】
しかしながら、この拡幅掘削装置は、掘削ロッドの回転方向を転換したときに、拡幅掘削翼が一気に揺動して拡径することから、急激に拡径した拡幅掘削翼が掘削されていない地盤に突き刺さり、地盤によってはその過大な抵抗により拡幅掘削翼の破損や掘削ロッドの回転が停止するという問題があった。
【０００５】
【特許文献１】特開２００３−２３９６６９号公報
【発明の開示】
【発明が解決しようとする課題】
【０００６】
本発明は、上記従来の拡幅掘削装置の有する問題点に鑑み、拡幅掘削翼の揺動速度を調節することにより、拡幅掘削翼の急激な拡径を抑制し、地盤への突き刺さりを防止して、地盤の過大な抵抗による拡幅掘削翼の破損や掘削ロッドの回転停止を回避することができる拡幅掘削装置を提供することを目的とする。
【課題を解決するための手段】
【０００７】
上記目的を達成するため、本発明の拡幅掘削装置は、掘削翼を配設した掘削ロッドに揺動軸を介して拡幅掘削翼を配設し、掘削ロッドの回転方向を転換することにより拡幅掘削翼を拡径するようにした拡幅掘削装置において、掘削ロッドと拡幅掘削翼の間に、拡幅掘削翼の拡径動作に連動し、該拡幅掘削翼に負荷を与えるダンパー機構を設けたことを特徴とする。
【０００８】
この場合において、前記ダンパー機構が、掘削ロッド側に回り止めをなして支持された支軸と、該支軸に回動可能に外嵌され、拡幅掘削翼が固定された外筒と、前記支軸に回り止めをなして嵌挿されるとともに、前記外筒と螺合して外筒の回動により軸方向に移動する移動体と、該移動体の移動により動作する流体圧ダンパーとを備えることができる。
【０００９】
また、前記ダンパー機構が、掘削ロッド側に回り止めをなして支持された支軸と、該支軸に回動可能に外嵌され、拡幅掘削翼が固定された外筒と、該外筒に回り止めをなして内挿されるとともに、前記支軸と螺合して外筒の回動により軸方向に移動する移動体と、該移動体の移動により動作する流体圧ダンパーとを備えることができる。
【００１０】
また、前記ダンパー機構が、一端が掘削ロッド側に回動可能に支持され、拡幅掘削翼が固定された支軸と、掘削ロッド側に回り止めをなして支持されるとともに、該支軸の他端に螺合して支軸の回動により軸方向に相対移動する外筒と、該外筒と支軸の相対移動により動作する流体圧ダンパーとを備え、支軸と外筒の少なくとも一方を掘削ロッド側に軸方向に摺動可能に支持することができる。
【発明の効果】
【００１１】
本発明の拡幅掘削装置によれば、掘削翼を配設した掘削ロッドに揺動軸を介して拡幅掘削翼を配設し、掘削ロッドの回転方向を転換することにより拡幅掘削翼を拡径するようにした拡幅掘削装置において、掘削ロッドと拡幅掘削翼の間に、拡幅掘削翼の拡径動作に連動し、該拡幅掘削翼に負荷を与えるダンパー機構を設けることから、拡幅掘削翼の揺動速度をダンパー機構により調節することができ、これにより、拡幅掘削翼の急激な拡径を抑制し、地盤への突き刺さりを防止して、地盤の過大な抵抗による拡幅掘削翼の破損や掘削ロッドの回転停止を回避することができる。
【００１２】
この場合、前記ダンパー機構が、掘削ロッド側に回り止めをなして支持された支軸と、該支軸に回動可能に外嵌され、拡幅掘削翼が固定された外筒と、前記支軸に回り止めをなして嵌挿されるとともに、前記外筒と螺合して外筒の回動により軸方向に移動する移動体と、該移動体の移動により動作する流体圧ダンパーとを備えることにより、拡幅掘削翼の揺動速度を、外筒から移動体を介して流体圧ダンパーにより調節することができ、これにより、拡幅掘削翼の急激な拡径を抑制し、地盤への突き刺さりを防止して、地盤の過大な抵抗による拡幅掘削翼の破損や掘削ロッドの回転停止を回避することができる。
【００１３】
また、前記ダンパー機構が、掘削ロッド側に回り止めをなして支持された支軸と、該支軸に回動可能に外嵌され、拡幅掘削翼が固定された外筒と、該外筒に回り止めをなして内挿されるとともに、前記支軸と螺合して外筒の回動により軸方向に移動する移動体と、該移動体の移動により動作する流体圧ダンパーとを備えることにより、拡幅掘削翼の揺動速度を、外筒から移動体を介して流体圧ダンパーにより調節することができ、これにより、拡幅掘削翼の急激な拡径を抑制し、地盤への突き刺さりを防止して、地盤の過大な抵抗による拡幅掘削翼の破損や掘削ロッドの回転停止を回避することができる。
【００１４】
また、前記ダンパー機構が、一端が掘削ロッド側に回動可能に支持され、拡幅掘削翼が固定された支軸と、掘削ロッド側に回り止めをなして支持されるとともに、該支軸の他端に螺合して支軸の回動により軸方向に相対移動する外筒と、該外筒と支軸の相対移動により動作する流体圧ダンパーとを備え、支軸と外筒の少なくとも一方を掘削ロッド側に軸方向に摺動可能に支持することにより、拡幅掘削翼の揺動速度を、支軸から外筒を介して流体圧ダンパーにより調節することができ、これにより、拡幅掘削翼の急激な拡径を抑制し、地盤への突き刺さりを防止して、地盤の過大な抵抗による拡幅掘削翼の破損や掘削ロッドの回転停止を回避することができる。
【発明を実施するための最良の形態】
【００１５】
以下、本発明の拡幅掘削装置の実施の形態を図面に基づいて説明する。
【実施例１】
【００１６】
図１−１〜図３に、本発明の拡幅掘削装置の第１実施例を示す。
この拡幅掘削装置は、掘削翼１を配設した掘削ロッド２に揺動軸３を介して拡幅掘削翼４を配設し、掘削ロッド２の回転方向を転換することにより拡幅掘削翼４を拡径するようにした拡幅掘削装置において、掘削ロッド２と拡幅掘削翼４の間に、拡幅掘削翼４の拡径動作に連動し、該拡幅掘削翼４に負荷を与えるダンパー機構５を設けている。
そして、ダンパー機構５は、図２に示すように、掘削ロッド２側に回り止めをなして支持された支軸６と、該支軸６に回動可能に外嵌され、拡幅掘削翼４が固定された外筒７と、前記支軸６に回り止めをなして嵌挿されるとともに、前記外筒７と螺合して外筒７の回動により軸方向に移動する移動体８と、該移動体８の移動により動作するオイルダンパー９とを備えている。
【００１７】
拡幅掘削翼４の揺動軸３は、図１に示すように、掘削ロッド２の回転軸に対して所定の角度傾斜して設けられるとともに、拡幅掘削翼４を閉じた状態で掘削ロッド２の回転軸の長手方向に沿って、かつ、掘削翼１の内側に位置するように、拡幅掘削翼４の基端部を屈曲させて揺動軸３に軸着し、拡幅掘削翼４を開いた状態で拡幅掘削翼４の先端側が掘削翼１の外側（外周側）に延設されるようにする。
ここで、「拡幅掘削翼４を閉じた状態で掘削ロッド２の回転軸の長手方向に沿って」とは、掘削ロッド２の回転軸と拡幅掘削翼４のなす角度が０〜３０°程度、好ましくは、０〜２０°程度のものをいう。
また、拡幅掘削翼４の揺動軸３の傾斜角度は、１０〜８０°、より好ましくは、３０〜６０°の範囲で任意に設定することができる。
このように、揺動軸３を掘削ロッド２の回転軸に対して傾斜して設けるとともに、拡幅掘削翼４を閉じた状態で掘削ロッド２の回転軸の長手方向に沿って、かつ、掘削翼１の内側に位置するように拡幅掘削翼４の基端部を屈曲させて揺動軸３に軸着し、拡幅掘削翼４を開いた状態で拡幅掘削翼４の先端側が掘削翼１の外側に延設されるようにしているので、掘削ロッド２の回転方向を転換することにより、安定した拡幅掘削翼４の挙動を確保し、拡幅掘削翼４を円滑かつ確実に拡径させるとともに、拡幅掘削翼４を長く形成して大径の拡幅掘削を実施することができる。
【００１８】
一方、揺動軸３の支軸６は、掘削ロッド２から外方に延設された上下１対のフランジ部に嵌挿されており、上部フランジ２１にキーＫにより回り止めをなして嵌合する上部支軸６１と、下部フランジ２２に回動可能に枢支された下部支軸６２とを備えている。
上部支軸６１は、外筒７の中心を挿通する軸部６３を有し、該軸部６３には、これに摺動可能に嵌挿される移動体８の回り止めをなすキーＫが軸方向に形成されている。
【００１９】
外筒７は、支軸６の軸部６３との間にオイル室１０を形成して、支軸６に同心状に外嵌されるとともに、移動体８と螺合するねじ１１をその内面に備えている。
外筒７には、拡幅掘削翼４がそのボス４１と回り止めのキーＫを介して一体に固定されており、これにより、拡幅掘削翼４は外筒７を介し支軸６に対して回動可能となっている。
なお、オイル室１０は、外筒７の上部に嵌合する上部支軸６１の大径部６４と、外筒７の下部に嵌合する下部支軸６２の大径部６４とによって区画されている。
【００２０】
移動体８は筒状をなし、キーＫにより回り止めをなして支軸６に摺動可能に嵌挿されるとともに、外筒７のねじ１１と螺合するねじ１１をその外周面に備え、外筒７の回動により軸方向に移動する。
移動体８の下部には、外筒７をシリンダーとするピストン１２が一体に形成されており、外筒７が拡幅掘削翼４の拡径方向に回転するときに、移動体８はこのピストン１２を押し下げる方向に移動する。
【００２１】
オイルダンパー９は、シリンダーとなる外筒７と、移動体８の下部に形成されたピストン１２と、該ピストン１２に形成された一方向絞り弁１３とを備え、一方向絞り弁１３は、ピストン１２が押し下げられるときにオイルの通過量を少なく絞り、押し上げられるときにはオイルの通過量を大にする。
これにより、拡幅掘削翼４が拡径する方向に外筒７が回転するときには、押し下げられるピストン１２によりオイルダンパー９の負荷が作用して、拡幅掘削翼４の拡径速度を遅くすることができる。
逆に、拡幅掘削翼４が縮径する方向に外筒７が回転するときには、押し上げられるピストン１２にはオイルダンパー９の負荷がわずかしか作用せず、拡幅掘削翼４は比較的速い速度で縮径することができる。
【００２２】
かくして、本実施例の拡幅掘削装置は、掘削翼１を配設した掘削ロッド２に揺動軸３を介して拡幅掘削翼４を配設し、掘削ロッド２の回転方向を転換することにより拡幅掘削翼４を拡径するようにした拡幅掘削装置において、掘削ロッド２と拡幅掘削翼４の間に、拡幅掘削翼４の拡径動作に連動し、該拡幅掘削翼４に負荷を与えるダンパー機構５を設けることから、拡幅掘削翼４の揺動速度をダンパー機構５により調節することができ、これにより、拡幅掘削翼４の急激な拡径を抑制し、地盤への突き刺さりを防止して、地盤の過大な抵抗による拡幅掘削翼４の破損や掘削ロッド２の回転停止を回避することができる。
そして、前記ダンパー機構５が、掘削ロッド２側に回り止めをなして支持された支軸６と、該支軸６に回動可能に外嵌され、拡幅掘削翼４が固定された外筒７と、前記支軸６に回り止めをなして嵌挿されるとともに、前記外筒７と螺合して外筒７の回動により軸方向に移動する移動体８と、該移動体８の移動により動作するオイルダンパー９とを備えることにより、拡幅掘削翼４の揺動速度を、外筒７から移動体８を介してオイルダンパー９により調節することができ、これにより、拡幅掘削翼４の急激な拡径を抑制し、地盤への突き刺さりを防止して、地盤の過大な抵抗による拡幅掘削翼４の破損や掘削ロッド２の回転停止を回避することができる。
【００２３】
なお、上記実施例においては、拡幅掘削翼４が閉じた状態のとき、拡幅掘削翼４の先端が揺動軸３より下方に位置するように構成したが、このほか、図１−２及び図２−２に示す第１実施例の変形例のように、拡幅掘削翼４が閉じた状態のとき、拡幅掘削翼４の先端が揺動軸３より上方に位置するように構成することもでき、この場合も、ダンパー機構５を備えることにより、同様の動作をさせ、これにより、拡幅掘削翼４の急激な拡径を抑制し、地盤への突き刺さりを防止して、地盤の過大な抵抗による拡幅掘削翼４の破損や掘削ロッド２の回転停止を回避することができる。
【実施例２】
【００２４】
次に、図４に、本発明の拡幅掘削装置の第２実施例を示す。
この拡幅掘削装置は、掘削翼１を配設した掘削ロッド２に揺動軸３を介して拡幅掘削翼４を配設し、掘削ロッド２の回転方向を転換することにより拡幅掘削翼４を拡径するようにした拡幅掘削装置において、掘削ロッド２と拡幅掘削翼４の間に、拡幅掘削翼４の拡径動作に連動し、該拡幅掘削翼４に負荷を与えるダンパー機構５を設けている。
そして、ダンパー機構５は、掘削ロッド２側に回り止めをなして支持された支軸６と、該支軸６に回動可能に外嵌され、拡幅掘削翼４が固定された外筒７と、該外筒７に回り止めをなして内挿されるとともに、前記支軸６と螺合して外筒７の回動により軸方向に移動する移動体８と、該移動体８の移動により動作するオイルダンパー９とを備えている。
【００２５】
揺動軸３は第１実施例と同様に、掘削ロッド２の回転軸に対して所定の角度傾斜して設けられるとともに、拡幅掘削翼４を閉じた状態で掘削ロッド２の回転軸の長手方向に沿って、かつ、掘削翼１の内側に位置するように、拡幅掘削翼４の基端部を屈曲させて揺動軸３に軸着し、拡幅掘削翼４を開いた状態で拡幅掘削翼４の先端側が掘削翼１の外側（外周側）に延設されている。
【００２６】
一方、揺動軸３の支軸６は、掘削ロッド２から外方に延設された上下１対のフランジ部に嵌挿されており、上部フランジ２１にキーＫにより回り止めをなして嵌合する上部支軸６１と、下部フランジ２２に回動可能に枢支された下部支軸６２とを備えている。
上部支軸６１は、外筒７の中心を挿通する軸部６３を有し、該軸部６３には、これに嵌挿される移動体８が螺合するねじ１１がその外周面に形成されている。
【００２７】
外筒７は、支軸６の軸部６３との間にオイル室１０を形成して、支軸６に同心状に外嵌されるとともに、外筒７の内面には、摺動可能に内挿される移動体８の回り止めをなすキーＫが軸方向に形成されている。
外筒７には、拡幅掘削翼４が一体に固定されており、これにより、拡幅掘削翼４は外筒７を介し支軸６に対して回動可能となっている。
なお、オイル室１０は、外筒７の上部に嵌合する上部支軸６１の大径部６４と、外筒７の下部に嵌合する下部支軸６２の大径部６４とによって区画されている。
【００２８】
移動体８は筒状をなし、キーＫにより回り止めをなして外筒７に摺動可能に内挿されるとともに、支軸６のねじ１１と螺合するねじ１１をその内周面に備え、外筒７が回動することにより、ねじ１１の作用によって軸方向に移動する。
移動体８の下方には、外筒７をシリンダーとするピストン１２が配設されており、外筒７が拡幅掘削翼４の拡径方向に回転するときに、移動体８はこのピストン１２を押し下げる方向に移動する。
【００２９】
オイルダンパー９は、シリンダーとなる外筒７と、移動体８の下に配設されたピストン１２と、該ピストン１２に形成された一方向絞り弁１３と、ピストン１２を移動体８側に付勢する戻しばね１４とを備え、一方向絞り弁１３は、ピストン１２が押し下げられるときにオイルの通過量を少なく絞り、戻しばね１４により押し上げられるときにはオイルの通過量を大にする。
これにより、拡幅掘削翼４が拡径する方向に外筒７が回転するときには、押し下げられるピストン１２によりオイルダンパー９の負荷が作用して、拡幅掘削翼４の拡径速度を遅くすることができる。
逆に、拡幅掘削翼４が縮径する方向に外筒７が回転するときには、ピストン１２にはオイルダンパー９の負荷がわずかしか作用せず、拡幅掘削翼４は比較的速い速度で縮径することができる。
【００３０】
かくして、本実施例の拡幅掘削装置は、掘削翼１を配設した掘削ロッド２に揺動軸３を介して拡幅掘削翼４を配設し、掘削ロッド２の回転方向を転換することにより拡幅掘削翼４を拡径するようにした拡幅掘削装置において、掘削ロッド２と拡幅掘削翼４の間に、拡幅掘削翼４の拡径動作に連動し、該拡幅掘削翼４に負荷を与えるダンパー機構５を設けることから、拡幅掘削翼４の揺動速度をダンパー機構５により調節することができ、これにより、拡幅掘削翼４の急激な拡径を抑制し、地盤への突き刺さりを防止して、地盤の過大な抵抗による拡幅掘削翼４の破損や掘削ロッド２の回転停止を回避することができる。
そして、前記ダンパー機構５が、掘削ロッド２側に回り止めをなして支持された支軸６と、該支軸６に回動可能に外嵌され、拡幅掘削翼４が固定された外筒７と、該外筒７に回り止めをなして内挿されるとともに、前記支軸６と螺合して外筒７の回動により軸方向に移動する移動体８と、該移動体８の移動により動作するオイルダンパー９とを備えることにより、拡幅掘削翼４の揺動速度を、外筒７から移動体８を介してオイルダンパー９により調節することができ、これにより、拡幅掘削翼４の急激な拡径を抑制し、地盤への突き刺さりを防止して、地盤の過大な抵抗による拡幅掘削翼４の破損や掘削ロッド２の回転停止を回避することができる。
【００３１】
なお、本実施例においても、上記第１実施例の変形例と同様に、拡幅掘削翼４が閉じた状態のとき、拡幅掘削翼４が閉じた状態のとき、拡幅掘削翼４の先端が揺動軸３より上方に位置するように構成することもできる。
【実施例３】
【００３２】
次に、図５〜図６に、本発明の拡幅掘削装置の第３実施例を示す。
この拡幅掘削装置は、掘削翼１を配設した掘削ロッド２に揺動軸３を介して拡幅掘削翼４を配設し、掘削ロッド２の回転方向を転換することにより拡幅掘削翼４を拡径するようにした拡幅掘削装置において、掘削ロッド２と拡幅掘削翼４の間に、拡幅掘削翼４の拡径動作に連動し、該拡幅掘削翼４に負荷を与えるダンパー機構５を設けている。
そして、ダンパー機構５は、一端が掘削ロッド２側に回動可能に支持され、拡幅掘削翼４が固定された支軸６と、掘削ロッド２側に回り止めをなして支持されるとともに、該支軸６の他端に螺合して支軸６の回動により軸方向に相対移動する外筒７と、該外筒７と支軸６の相対移動により動作するオイルダンパー９とを備え、支軸６と外筒７の少なくとも一方を掘削ロッド２側に軸方向に摺動可能に支持せしめている。
【００３３】
揺動軸３は、図５に示すように、掘削ロッド２の回転軸に対して所定の角度傾斜して設けられるとともに、拡幅掘削翼４を閉じた状態で掘削ロッド２の回転軸の長手方向に沿って、かつ、掘削翼１の内側に位置するように、拡幅掘削翼４の基端部を屈曲させて揺動軸３に軸着し、拡幅掘削翼４を開いた状態で拡幅掘削翼４の先端側が掘削翼１の外側（外周側）に延設されている。
【００３４】
一方、揺動軸３の支軸６は、その上部が、掘削ロッド２の上部フランジ２１に回動可能かつ軸方向に摺動可能に嵌挿されるとともに、その中間部には、拡幅掘削翼４がそのボス４１と回り止めのキーＫを介して一体に固定されている。
支軸６の下部には、外筒７の内面と螺合するねじ１１が形成されており、また、支軸６の内部には、入口に一方向絞り弁１３を備えたオイルタンク部１５が形成されている。このオイルタンク部１５には、オイルダンパー９のオイルと所要量の空気が貯留される。
【００３５】
外筒７は有底筒状をなし、内面のねじ１１に支軸６の下部を螺合させるとともに、掘削ロッド２の下部フランジ２２にキーＫにより回り止めをなして嵌合固定されている。
外筒７と支軸６の間にはオイル室１０が形成されており、該オイル室１０は、支軸６のオイルタンク部１５と一方向絞り弁１３を介して連通している。
【００３６】
オイルダンパー９は、シリンダーとなる外筒７と、ピストン１２となる支軸６の下部と、支軸６のオイルタンク部１５の入口に形成された一方向絞り弁１３とを備え、一方向絞り弁１３は、支軸６の下部が下降するときにオイルの通過量を少なく絞り、上昇するときにはオイルの通過量を大にする。
これにより、拡幅掘削翼４が拡径する方向に支軸６が回転するときには、下降する支軸６の下部によりオイルダンパー９の負荷が作用して、拡幅掘削翼４の拡径速度を遅くすることができる。
逆に、拡幅掘削翼４が縮径する方向に支軸６が回転するときには、支軸６の下部にはオイルダンパー９の負荷がわずかしか作用せず、拡幅掘削翼４は比較的速い速度で縮径することができる。
なお、オイル室１０のオイルは、オイルタンク部１５に封入された空気を圧縮することにより、一方向絞り弁１３を通過しオイルタンク部１５に流入する。
【００３７】
かくして、本実施例の拡幅掘削装置は、掘削翼１を配設した掘削ロッド２に揺動軸３を介して拡幅掘削翼４を配設し、掘削ロッド２の回転方向を転換することにより拡幅掘削翼４を拡径するようにした拡幅掘削装置において、掘削ロッド２と拡幅掘削翼４の間に、拡幅掘削翼４の拡径動作に連動し、該拡幅掘削翼４に負荷を与えるダンパー機構５を設けることから、拡幅掘削翼４の揺動速度をダンパー機構５により調節することができ、これにより、拡幅掘削翼４の急激な拡径を抑制し、地盤への突き刺さりを防止して、地盤の過大な抵抗による拡幅掘削翼４の破損や掘削ロッド２の回転停止を回避することができる。
そして、前記ダンパー機構５が、一端が掘削ロッド２側に回動可能に支持され、拡幅掘削翼４が固定された支軸６と、掘削ロッド２側に回り止めをなして支持されるとともに、該支軸６の他端に螺合して支軸６の回動により軸方向に相対移動する外筒７と、該外筒７と支軸６の相対移動により動作するオイルダンパー９とを備え、支軸６と外筒７の少なくとも一方を掘削ロッド２側に軸方向に摺動可能に支持することから、拡幅掘削翼４の揺動速度を、支軸６から外筒７を介してオイルダンパー９により調節することができ、これにより、拡幅掘削翼４の急激な拡径を抑制し、地盤への突き刺さりを防止して、地盤の過大な抵抗による拡幅掘削翼４の破損や掘削ロッド２の回転停止を回避することができる。
【００３８】
なお、本実施例においても、上記第１実施例の変形例と同様に、拡幅掘削翼４が閉じた状態のとき、拡幅掘削翼４が閉じた状態のとき、拡幅掘削翼４の先端が揺動軸３より上方に位置するように構成することもできる。
【００３９】
以上、本発明の拡幅掘削装置について、複数の実施例に基づいて説明したが、本発明は上記実施例に記載した構成に限定されるものではなく、その趣旨を逸脱しない範囲において適宜その構成を変更することができる。
【産業上の利用可能性】
【００４０】
本発明の拡幅掘削装置は、拡幅掘削翼の揺動速度を調節することにより、拡幅掘削翼の急激な拡径を抑制し、地盤への突き刺さりを防止して、地盤の過大な抵抗による拡幅掘削翼の破損や掘削ロッドの回転停止を回避できることから、例えば、掘削ロッドの回転方向を転換することにより拡幅掘削翼を拡径するようにした拡幅掘削装置に好適に用いることができる。
【図面の簡単な説明】
【００４１】
【図１−１】本発明の拡幅掘削装置の第１実施例を示す正面図である。
【図１−２】本発明の拡幅掘削装置の第１実施例の変形例を示す正面図である。
【図２−１】本発明の拡幅掘削装置の第１実施例の拡幅掘削装置のダンパー機構を示し、（ａ）は拡幅掘削翼が閉じた状態の断面図、（ｂ）は拡幅掘削翼が拡径した状態の断面図、（ｃ）は下部フランジの底面図、（ｄ）は上部フランジの底面図である。
【図２−２】本発明の拡幅掘削装置の第１実施例の変形例の拡幅掘削装置のダンパー機構を示し、（ａ）は拡幅掘削翼が閉じた状態の断面図、（ｂ）は拡幅掘削翼が拡径した状態の断面図である。
【図３】同ダンパー機構を示し、（ａ）は外筒の断面図、（ｂ）は上部支軸の正面図、（ｃ）は下部支軸の正面図、（ｄ）は移動体の断面図である。
【図４】本発明の拡幅掘削装置の第２実施例を示し、（ａ）は拡幅掘削翼が閉じた状態のダンパー機構の断面図、（ｂ）は拡幅掘削翼が拡径した状態のダンパー機構の断面図、（ｃ）は上部支軸の正面図、（ｄ）は移動体の平面図である。
【図５】本発明の拡幅掘削装置の第３実施例を示す正面図である。
【図６】同拡幅掘削装置のダンパー機構を示し、（ａ）は拡幅掘削翼が閉じた状態の断面図、（ｂ）は拡幅掘削翼が拡径した状態の断面図である。
【符号の説明】
【００４２】
１    掘削翼
２    掘削ロッド
２１  上部フランジ
２２  下部フランジ
３    揺動軸
４    拡幅掘削翼
４１  ボス
５    ダンパー機構
６    支軸
６１  上部支軸
６２  下部支軸
６３  軸部
６４  大径部
７    外筒
８    移動体
９    オイルダンパー
１０  オイル室
１１  ねじ
１２  ピストン
１３  一方向絞り弁
１４  戻しばね
１５  オイルタンク部
【図１−１】
2006052559.tif 000003
【図１−２】
2006052559.tif 000004
【図２−１】
2006052559.tif 000005
【図２−２】
2006052559.tif 000006
【図３】
2006052559.tif 000007
【図４】
2006052559.tif 000008
【図５】
2006052559.tif 000009
【図６】
2006052559.tif 000010